(57)【要約】      （修正有）【課題】アダプタと、電子装置との別々設置によるアダプタが紛失又は携帯し難くなるという問題を防止することができる、アダプタ及び電子装置を提供する。【解決手段】アダプタは、接続構造と、固定構造と、を含む。接続構造は、接続制御装置１１と、電気差込口に挿入されてかつ電気的に接続されることができる電気接続プラグと、接続制御装置１１及び電気接続プラグに電気的に接続される接続ケーブルと、接続制御装置１１に電気的に接続される少なくとも１つの接続ソケット１４と、を含む。固定構造は、接続構造に接続されてかつ電子装置の差込のための差込溝２０２を設ける。差込溝２０２の溝壁と電子装置との間に電子装置を差込溝２０２に挿入する際に差込溝２０２からの脱離を防止するための静摩擦力がある。【選択図】図２
0003235545.tif 000002
【実用新案登録請求の範囲】
【請求項１】
電気差込口を備える電子装置に接続されるためのものであり、
接続構造と、固定構造と、を含み、
前記接続構造は、接続制御装置と、前記電気差込口に挿入されてかつ電気的に接続されることができる電気接続プラグと、前記接続制御装置及び前記電気接続プラグに電気的に接続される接続ケーブルと、前記接続制御装置に電気的に接続される少なくとも１つの接続ソケットと、を含み、
前記固定構造は、前記接続構造に接続されてかつ前記電子装置の差込のための差込溝を有し、
前記差込溝の溝壁と前記電子装置との間に前記電子装置を前記差込溝に挿入する際に前記差込溝からの脱離を防止するための静摩擦力があることを特徴とするアダプタ。
【請求項２】
前記固定構造は、固定板と、前記固定板に接続されてかつＬ字形を呈するように設けられた差込ブロックと、を含み、
前記差込ブロックは、ストリップ状に延在するように設置された接続部と、前記接続部の一方の側に接続されてかつそれと垂直となる延在方向に沿って延在する折り曲げ部と、を含み、
前記差込溝は、前記接続部に設けられてかつそれと同じ方向に延在する第１差込溝と、前記折り曲げ部に設けられてそれと同じ方向に延在してかつ前記第１差込溝とつながる第２差込溝と、を含み、
前記第１差込溝の開口方向は、前記折り曲げ部に向かっており、前記第２差込溝の開口方向は、前記接続部に向かっていることを特徴とする請求項１に記載のアダプタ。
【請求項３】
前記第１差込溝の溝底部と前記第２差込溝の溝底部との接続部に丸みが付けられていることを特徴とする請求項２に記載のアダプタ。
【請求項４】
前記接続構造は、前記固定板に接続されている防護カバーをさらに含み、
前記防護カバーは、収納空間を形成するように前記固定板と共に取り囲み、
前記接続制御装置は、前記収納空間内に位置し、
前記防護カバーに少なくとも１つの挿入孔が設けられており、
前記接続ソケットは、前記収納空間内に位置してかつ前記挿入孔に向かって設置されていることを特徴とする請求項２に記載のアダプタ。
【請求項５】
前記防護カバーに少なくとも４つの前記挿入孔が設けられており、
記挿入孔にそれぞれ対応するように少なくとも４つの前記接続ソケットが設けられていることを特徴とする請求項４に記載のアダプタ。
【請求項６】
前記接続部及び前記折り曲げ部は、いずれも前記固定板に接続されてかつ前記固定板の同じ一方の側に位置し、それらが位置する平面は前記固定板が位置する平面と平行することを特徴とする請求項４に記載のアダプタ。
【請求項７】
前記固定板及び前記差込ブロックは、一体成形されており、
前記アダプタは、前記差込溝に挿設されることができるガスケットをさらに含むことを特徴とする請求項２から請求項６のいずれか一項に記載のアダプタ。
【請求項８】
前記アダプタは、前記ガスケットに接続された第１磁気吸引部材と、前記固定板に接続されてかつ前記第１磁気吸引部材と磁気的に吸引することができる第２磁気吸引部材と、をさらに含むことを特徴とする請求項７に記載のアダプタ。
【請求項９】
前記固定構造は、前記固定板に接続されてかつ外側へ突出する摺動接続ソケットと、抑止機構と、をさらに含み、
前記差込ブロックは、前記摺動接続ソケットに摺動可能に接続されてかつ前記固定板が位置する平面と垂直となる方向に沿って前記固定板に向かって又は背離して運動し、
前記抑止機構は、前記差込ブロックの変位量を制限することができ、
前記差込ブロック、前記摺動接続ソケット及び前記固定板は、共に取り囲んで前記差込溝を形成することを特徴とする請求項６に記載のアダプタ。
【請求項１０】
前記差込ブロックに向かって前記摺動接続ソケットに装着溝が設けられており、
前記アダプタは、前記装着溝に位置する弾性部材をさらに含み、
前記弾性部材は、一方の端が前記固定構造に接続されており、他方の端が前記装着溝の溝底部に接続されていることを特徴とする請求項９に記載のアダプタ。
【請求項１１】
前記弾性部材は、バネであることを特徴とする請求項１０に記載のアダプタ。
【請求項１２】
前記弾性部材は、引っ張られた状態であることを特徴とする請求項１０に記載のアダプタ。
【請求項１３】
前記固定構造に音孔が設けられていることを特徴とする請求項１から請求項６のいずれか一項に記載のアダプタ。
【請求項１４】
前記接続ソケットは、ＵＳＢ−Ｔｙｐｅ−Ｃ型インターフェースと、ＵＳＢ−Ｔｙｐｅ−Ｂ型インターフェースと、ＴＦカード型インターフェースと、オーディオインターフェースと、ＨＤＭＩインターフェースとの中の少なくとも１種を含み、
前記電気接続プラグは、ＵＳＢ−Ｔｙｐｅ−Ｃ型プラグと、オーディオプラグとの中の少なくとも１種であることを特徴とする請求項１から請求項６のいずれか一項に記載のアダプタ。
【請求項１５】
電気差込口が設けられており、かつ接続面を備え、
前記接続面に音声を放送するためのパワーアンプ孔が設けられており、
その２つの直角辺の接続部に丸みが付けられており、
請求項１から請求項１４のいずれか一項に記載のアダプタに挿接されることができ、
前記接続面は、電子装置が前記固定構造に挿接される際に前記差込溝内に位置することを特徴とする電子装置。
【考案の詳細な説明】
【技術分野】
【０００１】
本考案は、アダプタ設備の技術分野に属し、特にアダプタ及び電子装置に関する。
【背景技術】
【０００２】
従来、市販の電子装置のインターフェースタイプは単一であり、他のタイプのインターフェースを使ってデータ接続を行う際に、アダプタを必要になる。現在、市場に電子装置の電気差込口を拡張するためのアダプタは、大体は電気接続プラグにより電気差込口に電気的に接続されているが、使用過程において、電子装置及びアダプタが別々設置されているため、アダプタが紛失しやすく、日常的に使用し難くなるという問題が存在する。
【考案の概要】
【考案が解決しようとする課題】
【０００３】
本考案の目的は、従来の技術にアダプタが紛失しやすいという問題を解決するためにアダプタ及び電子装置を提供することにある。
【課題を解決するための手段】
【０００４】
本考案は、上述のような技術的問題を解決するために、以下の技術的手段を採用する。本考案により提供したアダプタは、電気差込口を備える電子装置に接続されるためのものであり、接続構造と、固定構造と、を含む。
【０００５】
前記接続構造は、接続制御装置と、前記電気差込口に挿入されてかつ電気的に接続されることができる電気接続プラグと、前記接続制御装置及び前記電気接続プラグに電気的に接続される接続ケーブルと、前記接続制御装置に電気的に接続される少なくとも１つの接続ソケットと、を含む。
前記固定構造は、前記接続構造に接続されてかつ前記電子装置の差込のための差込溝を設ける。
前記差込溝の溝壁と前記電子装置との間に前記電子装置を前記差込溝に挿入する際に前記差込溝からの脱離を防止するための静摩擦力がある。
【０００６】
本考案の上述したアダプタにおいて、前記固定構造は、固定板と、前記固定板に接続されてかつＬ字形を呈するように設置された差込ブロックと、を含む。
前記差込ブロックは、ストリップ状に延在するように設置された接続部と、前記接続部の一方の側に接続されてかつそれと垂直となる延在方向に沿って延在する折り曲げ部と、を含む。
前記差込溝は、前記接続部に設けられてかつそれと同じ方向に延在する第１差込溝と、前記折り曲げ部に設けられてそれと同じ方向に延在してかつ前記第１差込溝とつながる第２差込溝と、を含む。
【０００７】
前記第１差込溝の開口方向は、前記折り曲げ部に向け、前記第２差込溝の開口方向は、前記接続部を向ける。
【０００８】
本考案の上述したアダプタにおいて、前記第１差込溝の溝底部と前記第２差込溝の溝底部との接続部に丸み付けのように設置されている。
【０００９】
本考案の上述したアダプタにおいて、前記接続構造は、さらに前記固定板に接続されている防護カバーと、を含む。
前記防護カバーは、収納空間を形成するように前記固定板と共に取り囲む。
前記接続制御装置は、前記収納空間内に位置する。
前記防護カバーに少なくとも１つの挿入孔が設けられている。
前記接続ソケットは、前記収納空間内に位置してかつ前記挿入孔に向けて設置されている。
【００１０】
本考案の上述したアダプタにおいて、前記防護カバーに少なくとも４つの前記挿入孔が設けられている。
【００１１】
前記各挿入孔にそれぞれ対応するように少なくとも４つの前記接続ソケットが設置されている。
【００１２】
本考案の上述したアダプタにおいて、前記接続部及び前記折り曲げ部は、いずれも前記固定板に接続されてかつ前記固定板の同じ一方の側に位置し、それらの位置する平面が前記固定板の位置する平面と平行する。
【００１３】
本考案の上述したアダプタにおいて、前記固定板及び前記差込ブロックは、一体成形されている。
【００１４】
前記アダプタは、さらに前記差込溝に挿設されることができるガスケットと、を含む。
本考案の上述したアダプタにおいて、前記アダプタは、さらに前記ガスケットに接続された第１磁気吸引部材と、前記固定板に接続されてかつ前記第１磁気吸引部材と磁気的に吸引することができる第２磁気吸引部材と、を含む。
【００１５】
本考案の上述したアダプタにおいて、前記固定構造は、さらに前記固定板に接続されてかつ外へ突出する摺動接続ソケットと、抑止機構と、を含む。
前記差込ブロックは、前記摺動接続ソケットに摺動可能に接続されてかつ前記固定板が位置する平面と垂直となる方向に沿って前記固定板向ける又は背離するように運動する。
前記抑止機構は、前記差込ブロックの変位量を制限することができる。
前記差込ブロック、前記摺動接続ソケット及び前記固定板は、共に取り囲んで前記差込溝を形成する。
【００１６】
本考案の上述したアダプタにおいて、前記差込ブロックに向ける前記摺動接続ソケットに装着溝が設けられている。
前記アダプタは、さらに前記装着溝に位置する弾性部材と、を含む。
前記弾性部材は、一方の端が前記固定構造に接続され、他方の端が前記装着溝の溝底部に接続されている。
【００１７】
本考案の上述したアダプタにおいて、前記弾性部材は、バネである。
本考案の上述したアダプタにおいて、前記弾性部材は、引き張り状態である。
本考案の上述したアダプタにおいて、前記固定構造に音孔が設けられている。
【００１８】
本考案の上述したアダプタにおいて、前記接続ソケットは、ＵＳＢ−Ｔｙｐｅ−Ｃ型インターフェースと、ＵＳＢ−Ｔｙｐｅ−Ｂ型インターフェースと、ＴＦカード型インターフェースと、オーディオインターフェースと、ＨＤＭＩインターフェースとの中の少なくとも１種を含む。
【００１９】
前記電気接続プラグは、ＵＳＢ−Ｔｙｐｅ−Ｃ型プラグと、オーディオプラグとの中の少なくとも１種である。
【００２０】
本考案が提供した電子装置は、
電気差込口を設けてかつ接続面を備える。
前記接続面に音声を放送するためのパワーアンプ孔が設けられている。
前記電子装置の２つの直角辺の接続部に丸み付けのように設置されている。
前記電子装置は、以上前記アダプタに挿接されることができる。
前記接続面は、前記電子装置が前記固定構造に挿接される際に前記差込溝内に位置する。
【考案の効果】
【００２１】
本考案が提供したアダプタ及び電子装置は、従来技術に比べ、以下の有益な効果を有する：
本考案のアダプタは、電子装置に機械的に挿入されることができる固定構造の設置により、電子装置に分解的に接続されることを実現することができる。また接続制御装置及び電気接続プラグに電気的に接続される接続ケーブルの設置により、固定構造が電子装置に機械的に接続される際に、電気接続プラグが電子装置の電気差込口に電気的に接続されることを実現することができる。本考案のアダプタは、いつでも固定構造により、電子装置に挿設されることができる。使用する必要がある場合、電気接続プラグを電気差込口に電気的に接続する。使用する必要がない場合、固定構造を分解せずに電気接続プラグを抜けば済む。それによって、アダプタと、電子装置との別々設置によるアダプタの紛失又は携帯しにくいという問題を防止することができる。電子装置を移動する際、電気接続プラグがアダプタの自身重力の影響を受けないため、電子装置との接続安定性を保証し、接続が緩みにくくなる。接続構造又は固定構造がぶつかっても電気接続プラグと電気差込口との電気的な接続に影響を与えない。
【００２２】
本考案の実施例における技術的解決手段をより明らかにするために、以下、実施例又は従来技術の説明に使用する必要な図面を簡単に説明する。以下の説明における図面は、本考案のいくつかの実施例に過ぎない。当業者であれば、創造的な努力をしなくても、これらの図面により他の図面を得ることができる。
【図面の簡単な説明】
【００２３】
【図１】は本考案の第１実施例によるアダプタの分解図である。
【図２】は本考案の第２実施例によるアダプタ（電気接続プラグ及び接続ケーブルなし）の別の実施例における分解図である。
【図３】は本考案の第三実施例によるアダプタ（電気接続プラグ及び接続ケーブルなし）の別の実施例の断面図である。
【考案を実施するための形態】
【００２４】
本考案の実施例をより詳細に説明する。実施例の例示は図に示されているように、その中、ずっと同じまたは類似した符号は、同じまたは類似した素子または同じまたは類似した機能を備える素子を表す。以下に参考図面に説明された実施例は、例示的で本考案を解釈するためのものに過ぎず、本考案を限定するためのものではないことを理解すべきである。
【００２５】
本考案の説明において、“厚さ”、“幅”、“底”等の専門用語が標示した方位又は位置関係は、図面に示された方位又は位置関係に基づいて本考案を説明しやすい及び簡単化するためのものに過ぎず、装置又は部品が特定の方位を有しそして特定の方位で構築すると操作する必要があることを指す又は暗示するためのものではないため、本考案を限定するためものではないことを理解すべきである。
【００２６】
また、“第１”、“第２”などの用語は説明的な目的のみに用いられ、相対的な重要性を指す又は暗示する又は提出した技術的特徴の数量を暗示するためのものではないことを理解すべきである。“第１”、“第２”など限定された特徴は、１つまたは複数の該特徴を含むことを指す又は暗示する。本考案の説明において、“複数”の意味は、明確で具体的な限定以外、２つ又は２つ以上を指す。
【００２７】
本考案において、明確な規定及び限定以外、“装着”、“接続”、“連結”、“固定”等の用語は、広義的に理解されるはずである。例えば、固定接続されてもよく、また分解可能に接続されてもよく、或いは一体化になってもよい。機械的に接続されてもよく、又は電気的に接続されてもよい。直接に接続されてもよく、又は中間媒体により間接に接続されてもよい。また２つの部品の内部の接続又は２つの部品の相互作用関係であってもよい。当業者であれば、具体的な場合によって上述した用語の具体的な意味を理解してもよい。
【００２８】
本考案の目的、技術的解決手段及び利点をより明らかにするために、以下、具体的な図面及び実施例を参照しながら本考案をさらに詳細に説明する。
【００２９】
本考案が提供したアダプタは、電子装置に接続されるためのものである。電子装置は、平板状の電子装置であり、表示パネルと、表示パネルに対向設置された基板と、及び表示パネル及び基板に接続されてかつ円周方向に設置された側壁板と、を含む。その側壁板にデータ接続ための電気差込口及びオーディオシステムのパワーアンプ孔が設けられている。本考案が適用した電子装置は、少なくとも直角を呈するような２つの辺を備え、かつ２つの直角辺の接続部に丸み付けのように設置されている。
【００３０】
図１から図３に示されているように、本考案のアダプタは、電子装置の周縁に挿入されることができる固定構造と、固定構造に接続されてかつ電子装置の電気差込口に挿入されることができる接続構造と、を含む。
【００３１】
そのうち、接続構造は、接続制御装置１１と、前記電気差込口に挿入されてかつ電気的に接続されることができる電気接続プラグ１２と、接続制御装置１１及び電気接続プラグ１２に電気的に接続される接続ケーブル１３と、接続制御装置１１に電気的に接続される少なくとも１つの接続ソケット１４と、を含む。好ましくは、接続制御装置１１は、ＰＣＢ板である。接続ソケット１４は、その他の接続ケーブルのプラグが挿入するためのものである。好ましくは、電気接続プラグ１２の数及びタイプは、電気差込口が全て接続されるように電子装置に適合する。
【００３２】
固定構造は、接続構造に接続されてかつ前記電子装置の差込のための差込溝２０２を設ける。前記差込溝の溝壁と前記電子装置との間に前記電子装置を前記差込溝に挿入する際に前記差込溝からの脱離を防止するための静摩擦力がある。電子装置の辺縁がスムーズに差込溝２０２内に挿設されてかつ電子装置の表示パネル及び基板がそれぞれ差込溝２０２の両側壁に貼り合ってアダプタの脱落を防止するように、差込溝２０２の幅が電子装置の厚さ又は電子装置に套設された保護カバーの厚さに適合する。好ましくは、固定構造は、電子装置を前記差込溝に挿入する際に両方の接続を強固するように電子装置に挟持力を加える。
【００３３】
その中、接続ケーブル１３の長さは、固定構造が電子装置に機械的に接続される際に電気接続プラグ１２が電気差込口に電気的に接続されてかつ電気的な接続効果に悪い影響を与えない。
【００３４】
本考案のアダプタは、電子装置に機械的に挿入されることができる固定構造の設置により、電子装置に分解的に接続されることを実現することができる。また接続制御装置１１及び電気接続プラグ１２に電気的に接続される接続ケーブル１３の設置により、固定構造が電子装置に機械的に接続される際に、電気接続プラグ１２が電子装置の電気差込口に電気的に接続されることを実現することができる。本考案のアダプタは、いつでも固定構造により、電子装置に挿設されることができる。使用する必要がある場合、電気接続プラグ１２を電気差込口に電気的に接続する。使用する必要がない場合、固定構造を分解せずに電気接続プラグ１２を抜けば済む。それによって、アダプタと、電子装置との別々設置によるアダプタの紛失又は携帯しにくいという問題を防止することができる。電子装置を移動する際、電気接続プラグ１２がアダプタの自身の重力の影響を受けないため、電子装置との接続安定性を保証し、接続が緩みにくくなる。接続構造又は固定構造がぶつかっても電気接続プラグ１２と電気差込口との電気的な接続に影響を与えない。
【００３５】
図１から図２に示されているように、前記固定構造は、固定板２２と、前記固定板２２に接続されてかつＬ字形を呈するように設置された差込ブロック２１と、を含む。
前記差込ブロック２１は、ストリップ状に延在するように設置された接続部２１１と、接続部２１１の一方の側に接続されてかつそれと垂直となる延在方向に沿って延在する折り曲げ部２１２と、を含む。
【００３６】
差込溝２０２は、接続部２１１に設けられてかつそれと同じ方向に延在する第１差込溝２０２１と、折り曲げ部２１２に設けられてそれと同じ方向に延在してかつ第１差込溝２０２１とつながる第２差込溝２０２２と、を含む。
【００３７】
第１差込溝２０２１の開口方向は、折り曲げ部２１２に向け、第２差込溝２０２２の開口方向は、接続部２１１に向ける。それによって、第１差込溝２０２１及び第２差込溝２０２２は、それぞれ電子装置の両直角辺に対応してつまり電子装置の１つの直角辺が第１差込溝２０２１に挿入されてかつ他方の１つの直角辺が第２差込溝２０２２に挿入されるように、開口方向が互いに垂直になりかつ内側に向ける。固定構造が電子装置の１つの角を固定し、Ｌ字形構造が位置制限の役割を果たすため、さらにアダプタへの衝撃及び脱落を防止する。
【００３８】
電子装置の外部構造を適応するために、第１差込溝２０２１の溝底部と第２差込溝２０２２の溝底部との接続部に丸み付けのように設置されている。それによって電子装置の丸み付けに適合し、電子装置の側壁板を差込溝２０２の溝壁と貼り合わせ、接続がさらに安定になる。
【００３９】
図１から図３に示されているように、前記接続構造は、さらに前記固定板２２に接続されている防護カバー１５と、を含む。
前記防護カバー１５は、収納空間を形成するように前記固定板２２と共に取り囲む。
接続制御装置１１は、収納空間内に位置する。
前記防護カバー１５に少なくとも１つの挿入孔１０１が設けられている。
接続ソケット１４は、収納空間内に位置してかつ前記挿入孔１０１を向くように設置されている。防護カバー１５は、ぶつからないように接続制御装置１１を保護するためのものである。他の接続ケーブルのプラグは、挿入孔１０１を貫通して接続ソケット１４に接続されることができる。
【００４０】
好ましくは、接続ソケット１４は、挿入孔１０１にそれぞれ対応するように複数に設けられている。図２に示されているように、本考案の実施例中の防護カバー１５に少なくとも４つの挿入孔１０１が設けられている。
【００４１】
各挿入孔１０１にそれぞれ対応するように少なくとも４つの接続ソケット１４が設置されている。図１及び図３に示されているように、好ましくは、接続ソケット１４は、ＵＳＢ−Ｔｙｐｅ−Ｃ型インターフェースと、ＵＳＢ−Ｔｙｐｅ−Ｂ型インターフェースと、ＴＦカード型インターフェースと、オーディオインターフェースと、ＨＤＭＩインターフェースとの中の少なくとも１種を含む。４つの接続ソケット１４のタイプは、異なってもよく、少なくともその中の２つが同じタイプでもよく、また全て同じタイプでもよい。メーカーは、必要に応じて組合せ加工を行うことができる。第２接続ソケット１４は、上述した５種中の１種でもよい。
【００４２】
好ましく、電気接続プラグ１２は、ＵＳＢ−Ｔｙｐｅ−Ｃ型プラグと、オーディオプラグとの中の少なくとも１種である。通常の電子装置の側壁板は、ＵＳＢ−Ｔｙｐｅ−Ｃ型インターフェース及びオーディオインターフェースを備える。本考案の電気接続プラグ１２は、２つ設けられ、つまり同時にＵＳＢ−Ｔｙｐｅ−Ｃ型プラグ及びオーディオプラグを備える。
【００４３】
好ましくは、接続部２１１は、固定板２２に設けられてもよく、防護カバー１５に設けられてもよい。折り曲げ部２１２は、浮遊状態で設置されてもよく、また固定板２２にくっついてもよい。図１から図３に示されているように、好ましくは、接続部２１１及び折り曲げ部２１２は、いずれも固定板２２に接続されてかつ固定板２２の同じ一方の側に位置し、それらが位置する平面は固定板２２が位置する平面と平行する。固定構造及び接続構造は、積層設置によりアダプタの占用空間を小さくなる。
【００４４】
図１に示されているように、本考案が提供した実施例において、固定板２２及び差込ブロック２１は、一体成形されている。かつ、固定構造が電子装置に挿入される際に固定板２２１が電子装置の底板に貼りあって固定効果を増やすために、差込溝２０２の側壁は、固定板２２１と同じ平面に位置する。アダプタは、さらに差込溝２０２に挿設されることができるガスケット３０と、を含む。ガスケット３０の厚さは、電子装置の保護カバーの厚さに合わせる。差込溝２０２の幅は、電子装置に套設された保護カバーの厚さと同じである。それによって、電子装置に保護カバーを套設してガスケット３０を取り外して差込溝２０２との差込を行う。電子装置から保護カバーを取り外す場合、電子装置が差込溝２０２に強固に挿入されるようにガスケット３０を差込溝２０２に挿入して差込溝２０２の使用幅を減少する。異なる厚さを有する電子装置及び保護カバーを適応するように、異なる厚さを有する複数のガスケット３０を設置してもよい。それによって、アダプタは、異なる電子装置及び非標準的な保護カバーに対して、ガスケット３０により固定構造の適応性を向上させる。
【００４５】
図１に示されているように、この実施例において、アダプタは、さらにガスケット３０に接続された第１磁気吸引部材４１と、固定板２２に接続されてかつ第１磁気吸引部材４１と磁気的に吸引することができる第２磁気吸引部材４２と、を含む。第１磁気吸引部材４１と第２磁気吸引部材４２との磁気的吸引によりガスケット３０と固定板２２との接続安定性を向上させ、ガスケット３０の脱落を避ける。
【００４６】
図２から図３に示されているように、本考案が提供した他の１つに実施例において、固定構造は、さらに固定板２２に接続されてかつ外へ突出する摺動接続ソケット２３と、抑止機構５０と、を含む。
【００４７】
差込ブロック２１は、摺動接続ソケット２３に摺動可能に接続されてかつ固定板２２が位置する平面と垂直となる方向に沿って前記固定板２２に向けて又は背離して運動する。
抑止機構５０は、差込ブロック２１の変位量を制限することができる。
【００４８】
差込ブロック２１、摺動接続ソケット２３及び固定板２２は、共に取り囲んで差込溝２０２を形成する。それによって、差込ブロック２１と摺動接続ソケット２３との摺動接続は、差込溝２０２の溝幅を変え、異なる厚さを有する電子装置及び保護カバーに適応し、適用性を向上させる。抑止機構５０は、調整後の差込溝２０２の溝幅を固定して差込の安定性を保証するように、差込ブロック２１をある変位点に固定することができる。
【００４９】
図２から図３に示されているように、好ましくは、差込ブロック２１に向けて摺動接続ソケット２３の箇所に装着溝２３１が設けられている。
アダプタは、さらに装着溝２３１に位置する弾性部材６０と、を含む。
弾性部材６０は、一方の端が前記固定構造に接続されて、他方の端が前記装着溝２３１の溝底部に接続されている。弾性部材６０は、固定構造が摺動接続ソケット２３から脱離することを防止することができる。好ましくは、弾性部材は、バネであり、かつ接続状態が引き張り状態である。それによって、固定構造が電子装置に弾性的に接続されることが出来る。バネは、その弾性回復力により電子装置に挟持力を加える。
【００５０】
図１から図３に示されているように、さらに、固定構造に音孔２０１が設けられ、固定構造と電子装置との挿設によりパワーアンプ孔を塞いて電子装置の音声効果に悪い影響を与えることを防止する。音孔２０１は、電子装置のパワーアンプ孔の設置位置に応じて差込溝２０２の溝底部又は溝壁に設けられてもよい。
【００５１】
本考案の実施例は、また電子装置を提供し、上述した各実施例によるアダプタと、を含み。該アダプタは、上述した各実施例によるアダプタと同じ構造特徴を備え、同じ役割を果たす。ここに再び説明する必要がない。
【００５２】
本考案が提供した電子装置は、電気差込口を設けてかつ接続面を備える。
かつ接続面に音声を放送するためのパワーアンプ孔が設けられている。
電子装置の２つの直角辺の接続部に丸み付けが設置されている。
電子装置は、上述したアダプタに挿接されることができる。
接続面は、電子装置が固定構造に挿接される際に差込溝内２０２に位置する。
上記は本考案の優れた実施例に過ぎず、本考案を制限するものではない。本考案の精神及び原則の内になされたあらゆる変更、均等な置換及び改良等は、本考案の保護範囲内に含まれる。
【符号の説明】
【００５３】
１１    接続制御装置
１２    電気接続プラグ
１３    接続ケーブル
１４    接続ソケット
２０１  音孔
２０２  差込溝
２１    差込ブロック
２１１  接続部
２１２  折り曲げ部
２２    固定板
２３    ソケット
３０    ガスケット
６０    弾性部材
【図１】
0003235545.tif 000003
【図２】
0003235545.tif 000004
【図３】
0003235545.tif 000005